(57)【要約】【課題】地震等によって生ずる大きな力が可動重量物に作用した場合であっても、可動重量物の移動を防止でき、不要の場合には、簡単な操作で取り外すことのできる可動重量物の固定具を提供すること。【解決手段】上記課題を解決するために本発明の可動重量物の固定具１は、常時は床面Ｆ等における所定の位置に設置され、必要に応じて所望の位置に移動して使用される可動重量物の固定具において、床面Ｆ等の表面に直接取り付けられる単一のベース板９と、可動重量物Ｐ側に取り付けられる複数のシャックル板３３と、単一のベース板９と複数のシャックル板３３との間に張設される複数のターンポール３７とを備えている。更に床面Ｆ等の裏側にはアンカー板４７が固定されており、ベース板９との間に適用される締結構造を介して、床材等を挟持状態で保持するようにした。【選択図】        図３
2005076661.tif 000002
【特許請求の範囲】
【請求項１】
常時は床面等における所定の位置に設置され、必要に応じて所望の位置に移動して使用される可動重量物の固定具において、床面等の表面に直接取り付けられる単一のベース板と、可動重量物側に取り付けられる複数のシャックル板と、単一のベース板と複数のシャックル板との間に張設される複数のターンポールとを備えていることを特徴とする可動重量物の固定具。
【請求項２】
請求項１に記載の可動重量物の固定具において、更に床面等の裏側にはアンカー板が固定されており、ベース板との間に適用される締結構造を介して、床材等を挟持状態で保持するようにしたことを特徴とする可動重量物の固定具。
【請求項３】
請求項２に記載の可動重量物の固定具において、前記締結構造はアンカー板の中央から上方に向けて立ち上げられており、内周面に雌ネジ部が刻設され、床材等の厚さと同程度の高さを有する円筒状の支持ポストと、ベース板と床材等を挟んでこの支持ポストの雌ネジ部と螺合する取付ボルトとから構成されていることを特徴とする可動重量物の固定具。
【請求項４】
請求項１〜３のいずれかに記載の可動重量物の固定具において、ベース板には２本の支柱と、２本の支柱の上部に架け渡される着脱自在の係止ピンとから構成される門型の係止具がシャックル板ないしターンポールの数と同数組設けられており、一方、シャックル板にも上記門型の係止具が１組ずつ設けられていることを特徴とする可動重量物の固定具。
【請求項５】
請求項１〜４のいずれかに記載の可動重量物の固定具において、可動重量物はピアノであることを特徴とする可動重量物の固定具。
【発明の詳細な説明】
【技術分野】
【０００１】
本発明は、例えばグランドピアノのように、常時は床面等における所定の位置に設置され、必要に応じて所望の位置に移動して使用される可動重量物の固定具に関するものである。
【背景技術】
【０００２】
学校の音楽室、劇場やコンサートホールのステージ等において、グランドピアノ等の可動重量物を床面等に設置する場合には、グランドピアノ等の脚部下端に設けられているキャスタは、床が傷つくのを防止するため、インシュレータに乗せられている。
このインシュレータは、上面側にキャスタの載置部となる浅い凹部を有し、下面は平坦で、直接床面と接する載置面となっている受座状のものが多く使用されている。
【０００３】
しかし、インシュレータは固定具として機能するものではなく、地震が起きると、インシュレータの凹部からキャスタが簡単に外れてしまい、グランドピアノ等は床面を滑るように移動したり、床面から飛び上がったりして、極めて危険である。
【０００４】
一方、食器棚や洋服ダンス等の家具類については、地震対策用の各種の固定具が商品化され、市場に提供されている。しかし、何れもグランドピアノ等の可動重量物に耐え得るような強度を有しておらず、常時取り付けられた状態で使用される上記固定具では、部屋の外観を損ねることもあって、特に外観の美しさが重視される劇場やコンサートホール等の使用には不向きであった。
【発明の開示】
【発明が解決しようとする課題】
【０００５】
本発明はこのような背景技術の下、発案されたものであって、地震等によって生ずる大きな力が可動重量物に作用した場合であっても、可動重量物を床面等に頑強に固定でき、不要の場合には簡単な操作で取り外すことのできる安全性、作業性に優れる可動重量物の固定具を提供することを課題とするものである。
【課題を解決するための手段】
【０００６】
上記課題を解決するために請求項１記載の発明は、常時は床面等における所定の位置に設置され、必要に応じて所望の位置に移動して使用される可動重量物の固定具において、床面等の表面に直接取り付けられる単一のベース板と、可動重量物側に取り付けられる複数のシャックル板と、単一のベース板と複数のシャックル板との間に張設される複数のターンポールとを備えていることを特徴とする可動重量物の固定具である。
【０００７】
請求項２記載の発明は、請求項１に記載の可動重量物の固定具において、更に床面の裏側にはアンカー板が固定されており、ベース板との間に適用される締結構造を介して、床材等を挟持状態で保持するようにしたことを特徴とする可動重量物の固定具である。
【０００８】
請求項３記載の発明は、請求項２に記載の可動重量物の固定具において、前記締結構造はアンカー板の中央から上方に向けて立ち上げられており、内周面に雌ネジ部が刻設され、床材等の厚さと同程度の高さを有する円筒状の支持ポストと、ベース板と床材等を挟んでこの支持ポストの雌ネジ部と螺合する取付ボルトとから構成されていることを特徴とする可動重量物の固定具である。
【０００９】
請求項４記載の発明は、請求項１〜３のいずれかに記載の可動重量物の固定具において、ベース板には２本の支柱と、２本の支柱の上部に架け渡される着脱自在の係止ピンとから構成される門型の係止具がシャックル板ないしターンポールの数と同数組設けられており、一方、シャックル板にも上記門型の係止具が１組ずつ設けられていることを特徴とする可動重量物の固定具である。
【００１０】
請求項５記載の発明は、請求項１〜４のいずれかに記載の可動重量物の固定具において、可動重量物はピアノであることを特徴とする可動重量物の固定具である。
【発明の効果】
【００１１】
本発明の可動重量物の固定具は、地震等によって生ずる大きな力が可動重量物に作用した場合であっても、可動重量物を床面等に頑強に固定でき、可動重量物における不慮の移動を防止できる。また着脱が簡単な操作で行なわれるため、使用しない場合には、取り外しておくことも可能であり、このようにすれば床面等の外観を何ら損ねることもない。
また既存の設備をそのまま使用して設置できるため費用も安価で経済的である。
【実施例１】
【００１２】
以下図面に基づいて本発明に係る可動重量物の固定具について具合的に説明する。
図１は本発明に係る可動重量物の固定具における使用状態を示す斜視図、図２は可動重量物の固定具におけるベース板周辺を拡大して示す側断面図である。また図３は可動重量物の固定具を示す分解斜視図である。
本発明の可動重量物の固定具は、劇場やコンサートホールの床面Ｆ等に設置される可動重量物としてのグランドピアノＰのように、常時は床面Ｆ等における所定の位置に設置され、必要に応じて所望の位置に移動して使用される可動重量物に対して適用される
【００１３】
グランドピアノＰには、床面Ｆ上の移動を容易にするために脚部３の下端にキャスタ５が設けられている。またグランドピアノＰの設置位置が決まれば、キャスタ５の下に輪止めとなるインシュレータ７を床面Ｆとの間に介在させ、グランドピアノＰを床面Ｆに設置する。
【００１４】
可動重量物の固定具１は床面Ｆの表面に直接取り付けられるベース板９を有している。ベース板９は円板状の部材で、その中心には取付穴１１が設けられている。取付穴１１には、後述するように取付ボルト１３が隙間を有した状態で嵌合している。従って、取付穴１１の内径は取付ボルト１３の外径より幾分大きめに設定されている。
また、ベース板９には、門型をした係止具１９が一例として３組、等間隔に配置されて設けられている。
【００１５】
係止具１９は２本の支柱２１、２３と、２本の支柱２１、２３の上部に架け渡される着脱自在の係止ピン２５とから構成されている。支柱２１、２３はベース板９上に垂直に立ち上げられる丸棒状の軸部２７の上端にナット様の外形形状を有する保持部２９を横向きにして取り付けたものである。
【００１６】
このうち支柱２１における保持部２９には雌ネジが刻設されており、他方の支柱２３における保持部２９には係止ピン２５の外径より幾分大きな内径の貫通穴が形成されている。係止ピン２５は丸棒状の部材で、一方の端部には支柱２１における雌ネジと螺合する雄ネジが刻設されている。また他方の端部には係止ピン２５の周胴部の一部を偏平に潰し、平板状とした摘まみ部３１が設けられている。
摘まみ部３１の中心には、別途用意される操作ハンドルあるいは工具等との連結用の穴部が刻設されている。
【００１７】
このような係止具１９はグランドピアノＰ側に設けられる本発明の他の構成部材であるシャックル板３３にも設けられている。シャックル板３３は３組設けられており、矩形平板状の部材で、その中央には係止具１９が１組設けられている。また係止具１９の左右にはグランドピアノＰにシャックル板３３を固定するための穴部３５が２個ずつ、計４個設けられている。この穴部３５には木ネジ１７が挿嵌され、シャックル板３３はグランドピアノＰ裏面の適宜の位置に固定される。
【００１８】
また、ベース板９における係止具１９とシャックル板３３における係止具１９との間には、各１本ずつ計３本のターンポール３７が張設される。ターンポール３７は両端にネジ方向を異にする雌ネジ部が刻設されたスリーブ状の操作竿３９と、両端の雌ネジ部と螺合するネジ方向を異にするアイボルト４１とを備えている。
【００１９】
操作竿３９の中央には、別途用意される操作ハンドルあるいは工具等を装着するための連結用の穴部４３が刻設されている。またアイボルト４１先端のリング部４５は係止具１９における係止ピン２５と嵌合して係止される部分であり、係止ピン２５の外径よりかなり大きめの内径を有している。
【００２０】
この他、床面Ｆの裏側にアンカー板４７が設けられている。アンカー板４７はベース板９との間に適用される締結構造を介してベース板９と共に床材を挟持状態で保持する役割を有している。アンカー板４７はベース板９より幾分薄手の平面視正方形状をした平板状部材であり、その中央には上方に向けて支持ポスト４９が立ち上げられている。
【００２１】
支持ポスト４９は円筒状の部材であり、その上方寄りの内周面には、取付ボルト１３と螺合する雌ネジ部５１が刻設されている。支持ポスト４９と取付ボルト１３とによりベース板９とアンカー板４７とを床面Ｆに固定する締結構造が構成されている。また支持ポスト４９の高さは床材等の厚さと同程度、具体的には床材等の厚さと同じかそれより幾分低めに設定されている。これにより床面Ｆの表面への支持ポスト４９の突出を防止している。
またアンカー板４７の４隅寄りの部位には、１個ずつ計４個の穴部５３が設けられている。この穴部５３には木ネジ１７等が嵌合し、木ネジ１７等により床面Ｆの裏側にアンカー板４７は固定される。
【００２２】
次に本実施例の設置の手順と作動状態について説明する。
先ずグランドピアノＰの配置を観察し、中心点となる部分を探す。その中心点にあたる床面Ｆの下に柱等がないことを確認して床面Ｆに穴を開ける。床下からアンカー板４７を床面Ｆの裏側に宛がい、支持ポスト４９を床面Ｆに開けた上記の穴に挿し込み、木ネジ１７等を穴部５３に通して、アンカー板４７を床面Ｆの裏側に固定する。
【００２３】
この状態では、床面Ｆの表面には支持ポスト４９の先端は突出しておらず、床面Ｆの外観を損なうことはなく、引っ掛かりの危険性も生じない。次に上方からベース板９を取付穴１１が支持ポスト４９ないし床面Ｆに開けた穴と一致するように位置合わせしながら宛がい、取付ボルト１３を支持ポスト４９の雌ネジ部５１に螺合する。これによりベース板９とアンカー板４７が強固に連結され、ベース板９は床面Ｆに頑強に固定される。
【００２４】
次に、グランドピアノＰの下部における比較的強度を有する部位、例えば主柱を利用してシャックル板３３を取り付ける。シャックル板３３の取付位置はベース板９を中心として等距離、等角度ずつになるようにし、木ネジ１７等を穴部３５に通してグランドピアノＰの裏面に固定する。
【００２５】
次にシャックル板３３上の係止具１９における係止ピン２５を緩めてターンポール３７におけるアイボルト４１のリング部４５に通し、保持部２９に係止ピン２５を再び取り付ける。同様にしてターンポール３７における他方のアイボルト４１をベース板９上の係止具１９に取り付ける。３本のターンポール３７を全て取り付けた後、ターンポール３７の操作竿３９を所定の方向に回して、ターンポール３７に所定のテンションを掛ける。
これによりグランドピアノＰは床面Ｆに頑強に固定された状態となり、地震等により大きな力を受けたとしてもターンポール３７同士が相互に引っ張り合うことにより、グランドピアノＰは確実に保持され、移動が防止される。
【００２６】
グランドピアノＰの移動が必要になった場合には、ベース板９側の係止ピン２５とシャックル板３３側の係止ピン２５を外し、ターンポール３７を外すだけで、グランドピアノＰを動かすことができる。また、取付ボルト１３を外せば、ベース板９を簡単に除去でき、ベース板９を除去した後は、アンカー板４７の支持ポスト４９が挿通された小穴が床面Ｆにあるだけで、床面Ｆから突出するものはない。従って、公会堂のようにコンサートや劇等の催し物によってピアノを比較的頻繁に移動する場合には、本発明の可動重量物の固定具１は特に便利である。
【００２７】
以上、本発明を実施例について詳述してきたが、具体的な構成は上記実施例の構成に限られるものではなく、本発明を逸脱しない範囲における設計の変更などがあっても本発明に含まれる。
例えば、シャックル板３３ないしターンポール３７の数は３枚ないし３本ずつに限らず、２枚ないし２本ずつでも良いし、４枚ないし４本ずつ以上設けるようにすることも可能である。また１台のグランドピアノＰに対して、上記構成の可動重量物の固定具１を複数組設けるようにすることも可能である。
【００２８】
またベース板９を床面Ｆ等の表面に設置するに当たり、設置面がコンクリート等である場合には木ネジ１７に代えてアンカーボルト等を使用することも可能である。またベース板９側からの固定で十分な場合には、アンカー板４７の使用を省略することも可能である。また本発明の適用対象となる可動重量物Ｐとしては、グランドピアノＰの他、研究室等で使用される移動式の実験台や工場のライン等で使用される移動式のコンベヤ等であっても構わない。
【産業上の利用可能性】
【００２９】
本発明は常時は床面等における所定の位置に設置され、必用に応じて所望の位置に移動して使用されるグランドピアノ等の可動重量物の設置現場において利用できる。
【図面の簡単な説明】
【００３０】
【図１】本発明にかかる可動重量物の固定具における使用状態を示す斜視図である。
【図２】可動重量物におけるベース板周辺を拡大して示す側断面図である。
【図３】可動重量物の固定具を示す分解斜視図である。
【符号の説明】
【００３１】
１    可動重量物の固定具            ３    脚部
５    キャスタ                      ７    インシュレータ
９    ベース板                    １１    取付穴
１３    取付ボルトネジ              １９    係止具
２１    支柱                        ２３    支柱
２５    係止ピン                    ２７    軸部
２９    保持部                      ３１    摘まみ部
３３    シャックル板                ３５    穴部
３７    ターンポール                ３９    操作竿
４１    アイボルト                  ４３    （連結用の）穴部
４５    リング部                    ４７    アンカー板
４９    支持ポスト                  ５１    雌ネジ部
５３    穴部
Ｆ    床面                          Ｐ    グランドピアノ（可動重量物）
【図１】
2005076661.tif 000003
【図２】
2005076661.tif 000004
【図３】
2005076661.tif 000005